(57)【要約】【課題】  従来から使用されている小型焼却炉を対象に雨風による弊害や焼却熱と排ガスによる作業環境の弊害を解消した小型焼却炉の保全格納庫を提供する。【解決手段】小型焼却炉１を格納する鉄骨構造物３の外周壁の下方側を通気性パネル部材５とし上方側を遮蔽パネル部材６とする二段壁面構造とし、さらに煙突８の周囲と耐候性屋根用部材７との間に雨水侵入防止用複層管フード９を設けて構成している。【選択図】図１
0003202946.tif 000002
【実用新案登録請求の範囲】
【請求項１】
コンクリート基盤２上に設置した小型焼却炉１を格納する鉄骨構造物３の外周壁の少なくとも一側に焼却炉搬出入用ドア４を設けかつ該鉄骨構造物外周側面の下方側を通気性パネル部材５としまたその上方側を遮蔽パネル部材６にする二段パネル壁面構造とし、さらに屋根面には耐候性屋根用部材７を覆設すると共に、前記小型焼却炉１の該ガス出口端から耐候性屋根用部材７を遊貫して上方に延長する煙突８の耐候性屋根用部材７の遊貫相当部において煙突８の外周長手方向に沿って気流空間１１を形成する管部材１２を耐候性屋根用部材７の内側端面に立設しまた煙突の上方側に周着した棚板１３の下面に前記した管部材１２の外方側で気流空間１４を形成する大径管部材１５を垂設した雨水侵入防止用複層管フード９を設けて構成した事を特徴とする小型焼却炉の保全格納庫。
【考案の詳細な説明】
【技術分野】
【０００１】  本考案は、個人住宅や病院や住宅建設現場などで使用される小型焼却炉の保全格納庫に関するものである。
【背景技術】
【０００２】  最近、高床式で火床面積が１平方メートル足らずの無煙無臭無ダストの小型焼却炉が開発され、家庭や病院や住宅建設現場などから廃棄された紙屑や木屑や使えなくなった綿衣類また日本海沿岸や離島の自治体では海に捨てられた不法投棄物が海水に流され海岸に打ち上げられた漂着ごみなどを環境汚染する事なく手軽に焼却できる利点から、自家用としてまた小地域用の焼却炉として徐々に使い始められている。この様な無煙無臭無ダストの小型焼却炉は、耐火煉瓦を積み上げて築造した焼却炉内の焼却状況を人が監視しながら被焼却物の投入量と投入時期を調整する従来の高床式焼却炉とは異なり、耐火煉瓦や不定形物材料などで築造された炉体を鉄皮で包み込みさらにその表面を防食塗装する堅牢性でかつ耐食性を有する炉体構造に製作し、さらに焼却物の投入から炉内の火焔調整さらには排出される排ガス中の未燃焼ガスの完全燃焼まで自動制御の電気回路で操業する構造に製作されている。この様に優れた焼却性能の焼却炉であっても、その保全場所は、従来の焼却炉と同じ様に、広大な空き地や人気の無い敷地の片隅に野晒状態で設置するかあるいは屋根部材の一枚板を覆って雨を凌ぐ程度の簡単な保全構造で設置されているのが現状である。従って、天候の悪い日は雨や潮風の塩分が小型焼却炉の炉体表面に付着しさらに炉体内に浸み込み、晴天時あるいは焼却時の高い温度に煽られて水蒸気あるいは塩分を含んだ水蒸気が塗装膜または鉄皮面あるいは鉄皮面と該鉄皮面の酸化物皮膜との間の密着力が弱い面に浸み込んで気泡や細孔を形成しさらに亀裂を起こして塗装膜を剥離し、最終的には鉄皮面に赤錆が発生し見栄えを悪くする問題があった。また水分を吸収した築炉耐火物材料は、焼却時の熱損失を大きくして焼却用燃料費が嵩み、冬場においては凍結や生えた苔で炉体を痛み易くする問題もあった。【０００３】  この様な問題を解消する目的から、倉庫や車庫の様に雨風を凌ぐ格納庫が開発されている。例えば実開昭６３−２８７４８号公報の「出側に出入口を設けた直方形の収納庫に、収納庫の左右両側に軒下部を形成せしめて収納庫の左右両側に軒下部を形成して収納庫より左右が幅広い蒲鉾型屋根を設けた簡易収納庫」がある。さらに実登第３０２４７７１号公報の様に、明細書全文を要約して「収納庫本体の骨組みが棟方向と直交するアーチ状の門型鋼管で構成された骨組みの内側を防水性ビニールで覆い、内側をラスさらに発泡性プラスチックを吹き付けて断面壁を形成すると共に、収納庫本体に扉を設けて構成したもので、気密性が高く防水性で保温力もあり、堅牢で容易に施工できる簡易収納庫」もある。この様な構造の収納庫は、気密性が高く保温性も優れているため倉庫や車庫や物置あるいはキノコ栽培などの小屋として有効的に使用されるが、高温度の熱を放散する小型焼却炉の収納庫すなわち格納庫として使用する事は、格納庫内に焼却熱や高温度の排ガスが籠って高温室となって自動制御電気回路の円滑稼働に支障を来すと共に、焼却作業環境を著しく悪化する問題があった。
【先行技術文献】
【０００４】
【特許文献１】  実開昭６３−２８７４８号公報
【特許文献２】  実登第３０２４７７１号公報
【考案の概要】
【考案が解決しようとする課題】
【０００５】  本考案者らは、前記した様な無煙無臭無ダストの小型焼却炉あるいは従来から使用される小型焼却炉を対象に雨や風による弊害や焼却熱と排ガスによる作業環境の弊害を解消した焼却炉の保全格納庫を提供する事を目的に検討した結果、小型焼却炉を格納する鉄骨構造物の外周壁すなわち焼却炉本体の焼却燃焼室や排ガス誘導煙突部や付帯装置の自動制御電気回路（配電盤）が位置する炉体上部相当面を吹き付ける雨や風を遮蔽するパネル部材壁としまた炉体下部相当面を焼却熱が籠って高温化する作業環境の悪化を防止する通気性パネル部材壁とする二段壁面構造にすると共に、鉄骨構造物の上面には焼却炉から突出する排ガス煙突の周囲に保全格納庫内高温空気の蛇行流出路誘導パイプを設ける事によって、前記した本考案の目的が達成可能になった。
【課題を解決するための手段】
【０００６】  本考案は上記の様な知見に基づいて構成したもので、その要旨は、コンクリート基盤上に設置した小型焼却炉を格納する鉄骨構造物の外周壁の少なくとも一側に焼却炉搬出入用ドアを設けかつ該鉄骨構造物外周側面の下方側を通気性パネル部材としまたその上方側を遮蔽パネル部材にする二段パネル壁面構造とし、さらに屋根面には耐候性屋根用部材を覆設すると共に、前記小型焼却炉の該ガス出口端から耐候性屋根用部材を遊貫して上方に延長する煙突の耐候性屋根用部材の遊貫相当部において煙突の外周長手方向に沿って気流空間を形成する管部材を耐候性屋根用部材の内側端面に立設しまた煙突の上方側に周着した棚板の下面に前記した管部材の外方側で気流空間を形成する大径管部材を垂設した雨水侵入防止用複層管フードを設けて構成した小型焼却炉の保全格納庫である。
【考案の効果】
【０００７】  上記した様な構造の小型焼却炉保全格納庫は、格納庫の外周壁を二段パネル構造によって下方側の通気性パネル部材が格納庫内に籠る高温度の熱を放出して低温の外気に入れ換える対流現象で作業環境を改善すると共に、保全格納庫の周囲から通気性パネル部材を通して保全格納庫内で作業する人の安全性を監視する利点がある。また上方側の遮蔽パネル部材で、小型焼却炉の炉体主要部や自動制御の電気回路が雨や潮風による弊害を防止する事ができる。また本考案では保全格納庫の屋根部材と煙突との間に設けた雨水防止用の複層管フードによって、雨天の際の雨漏りを防止すると共に保全格納庫内上方で籠る熱を外部に放出する効果を奏する。
【考案を実施するための手段】
【０００８】  以下、本考案の小型焼却炉の保全格納庫について、図面を参照しながら詳細に説明する。
図面は本考案の一実施例を示したものである。図１は保全格納庫の正面図で、上方側壁面の一部を切り欠いて煙突上方部の断面図を解り易く描写したものである。図２は、本考案の側面図を示す。図３は、本考案における雨水侵入防止用複層管フードの拡大断面図を示す。図１および図２において、１はコンクリート基礎２上に設置された小型焼却炉（実線で示す）である。小型焼却炉１の構造や大きさや性能などを限定するものでないが、中でも火床面積が１平方メートル前後またはそれ以下の大きさの個人住宅や病院などで使用される無煙無臭無ダスト焼却炉に好都合である。３は小型焼却炉１を格納する鉄骨構造物で、その屋根形状は片流れ、段違いフラットな屋根など如何なる屋根構造または屋根形状であってもよい。鉄骨構造物３はコンクリート基礎２に固定され、外周壁の少なくとも一側に小型焼却炉１の搬出入用ドア４が設けられている。また鉄骨構造物３の外周壁は、下方にはエキスパンドメタルの他に平織金網、菱形金網、溶接金網などの様な通気性パネル部材を張り付け、その上方側には軽量気泡コンクリートパネルの他にメタルカーテンウォール、塗装メッキ鋼板など一般に使用される遮蔽パネル部材６を張り付ける、すなわち、二段パネル壁面構造に築壁されている。また鉄骨構造物３の屋根面にはスレートの他に、板型、波形、角形などに強度加工したトタンやガルバリウム鋼板などの様に軽量で耐熱性や防水性にも優れた耐候性屋根部材７が覆設されている。すなわち、本考案における鉄骨構造物３は、壁の下方側には保全格納庫内に籠る焼却熱を自然放出するために通気性パネル部材５を使用し、壁の上方側には炉体や自動制御電気回路が吹き込む雨や潮風による弊害を防止するために遮蔽パネル部材６を使用し、さらに鉄骨構造物本体の保全から屋根面に耐候性屋根用部材７を使用して製作されている。
【０００９】  さらに本考案においては、小型焼却炉１の排ガス出口端から耐候性屋根用部材７を遊貫して上方側に延長する煙突８の周壁面から該小型焼却炉の保全格納庫内に流れ落ちる雨垂れの侵入を防止するために、耐候性屋根用部材７と煙突８の周壁面との間に雨水侵入防止用複層管フード９を設けている。図３は、雨水侵入防止用複層管フード９の一実施例を拡大断面図で示したもので、小型焼却炉１の排ガス出口端１０から耐候性屋根用部材７を遊貫して上方側に延長する煙突８の外周長手方向に沿って気流空間１１を形成する管部材１２を耐候性屋根用パネル部材７の内側端面に立設すると共に、煙突８の上方側に周着（嵌着）した棚板１３の下面に前記した管部材１２の外方側で気流空間１４を形成する大径管部材１５を垂設して構成されている。つまり、雨水侵入防止用複層管フード９は、煙突８の外周面に沿って保全格納庫内に流れ込む雨水の侵入を該煙突８の外周面に周設した棚板１３で防止しながらまた保全格納庫の上方側で溜まる高温度の空気を煙突８の外周面と管部材１２さらに大径管部材１５の間で形成されかつ連通する気流空間１１および気流空間１４で上下に揺れながら大気中に放出する構造に設けられている。従って、本考案の保全格納庫の下方側では通気性パネル部材５によって常に外気が流通しまた上方側では熱い空気を雨水侵入防止用複層管フード９の気流空間１１と１４を上下に揺動しながら放出する構造に設けられているため、本考案の保全格納庫内が熱気に包まれる事が無い。
【００１０】  さらに本考案の保全格納庫においては、小型焼却炉１の搬出入用ドア４の上方側壁には雨避け用の庇１６また煙突８排ガス出口には雨の侵入を防止する雨避けフード１７を、必要に応じて設けてもよい。
【００１１】  上記の様に構成された本考案の小型焼却炉保全格納庫は、自然通風の中で紙などの被焼却物を小型焼却炉１で焼却作業を行うため、熱気に包まれる事がなくまた安全な環境の中で焼却作業を行える特長がある。
【産業上の利用可能性】
【００１２】  本考案の保全格納庫は、前記した様庫に無煙無臭無ダストの小型焼却炉に限らず耐火煉瓦作りの簡単な構造の焼却炉でも、排ガスや高温度の熱に惑わされる事もなく安心して安全な作業環境で焼却作業が行える利点から今後益々利用される可能性が高い。
【図面の簡単な説明】
【００１３】
【図１】本考案の正面図で、上方側壁面の一部を切り欠き煙突上部の断面図を示す。
【図２】本考案の側面図を示す。
【図３】本考案における雨水侵入防止用複層管フードの拡大断面図を示す。
【符号の説明】
【００１４】１      小型焼却炉
２      コンクリート基礎
３      鉄骨構造物
４      小型焼却炉搬出入用ドア
５      通気性パネル部材
６      遮蔽パネル部材
７      耐候性屋根用部材
８      煙突
９      雨水侵入防止用複層管フード
１０    排ガス出口端
１１    気流空間
１２    管部材
１３    棚板
１４    気流空間
１５    大径管部材
１６    庇
１７    雨避けフード
【図１】
0003202946.tif 000003
【図２】
0003202946.tif 000004
【図３】
0003202946.tif 000005